(57)【要約】【課題】デジタルペンとデジタルペン専用用紙を使用して効率的にポスティングを行うポスティング情報の収集システム及び収集方法を提供する。【解決手段】ドットパターン印刷領域内に位置情報が印刷された地図およびポスティング情報記載欄が設けられた業務カードと、少なくとも、前記地図と業務カードからドットパターンによる位置情報とポスティング情報とを光学的に取得するデジタルペンと、デジタルペンに接続され、デジタルペンが取得した情報をネットを介して送信しネットを介して受信した配布物情報を表示部に表示する携帯通信端末と、前記携帯通信端末から受信したドットパターンによる位置情報とポスティング情報とをテキスト情報に変換するデジタルペンシステム管理サーバと、ＧＰＳサーバと、少なくとも配布物情報の配信とポスティング情報の収集を行うポスティング情報収集サーバと、を備えたポスティング情報収集システムを提供する。【選択図】  図１
2007193466.tif 000002
【特許請求の範囲】
【請求項１】
デジタルペンとデジタルペンで読取可能なドットパターンが印刷されたデジタルペン専用用紙を使用してポスティング情報を収集するポスティング情報収集システムであって、
前記ドットパターン印刷領域内に位置情報が印刷された地図と、
前記ドットパターン印刷領域内にポスティング情報記載欄が設けられた業務カードと、
少なくとも、前記地図と業務カードからドットパターンによる位置情報とポスティング情報とを光学的に取得するデジタルペンと、
デジタルペンに接続され、デジタルペンが取得した前記位置情報とポスティング情報とをネットを介して送信し、ネットを介して受信した位置情報に関連付けされた配布物情報を表示部に表示する携帯通信端末と、
ネットに接続され、前記携帯通信端末から受信したドットパターンによる位置情報とポスティング情報とをテキスト情報に変換するデジタルペンシステム管理サーバと、
ネットに接続され前記位置情報を地図情報に変換するＧＰＳサーバと、
少なくとも、配布物情報の配信，ポスティング情報の収集を行うポスティング情報収集サーバと、
を備えたことを特徴とするポスティング情報収集システム。
【請求項２】
請求項１に記載のポスティング情報収集システムにおいて、
業務カードに設けられたポスティング情報記載欄は、配布チェック欄，調査チェック欄，属性情報記載欄，送信ボックスの少なくとも一つを含むポスティング情報記載欄であることを特徴とするポスティング情報収集システム。
【請求項３】
請求項１，２何れか一項に記載のポスティング情報収集システムを使用したポスティング情報収集方法であって、
携帯通信端末に配布物配布リストを表示させるために、地図情報と配布物とを対応付けしてポスティング情報収集サーバに登録するステップ，
デジタルペンと携帯通信端末と地図と業務カードと配布物を準備するステップ，
デジタルペンが地図から位置情報を取得するステップ，
デジタルペンが取得した位置情報を携帯通信端末を介してデジタルペンシステム管理サーバに送信するステップ，
デジタルペンシステム管理サーバから携帯通信端末を経由してポスティング情報収集サーバにテキストデータ化された位置情報を送信するステップ，
ポスティング情報収集サーバから位置情報をＧＰＳサーバに送信し地図情報に変換するステップ，
ポスティング情報収集サーバから地図情報に関連付けされた配布物情報を携帯通信端末に送信するステップ，
携帯通信端末の表示部にポスティング情報収集サーバから送信された配布物情報を表示するステップ，
前記表示部に表示された配布物情報を参照して配布物を配布し、業務カードの配布チェック欄にマークを記載するステップ，
デジタルペンによって調査欄にマークを記載し、属性情報記載欄にマークや補足情報を記載するステップ，
携帯通信端末を介して業部カードへの記載情報をネット上のデジタルペンシステム管理サーバに送信するステップ，
デジタルペンシステム管理サーバから送信されたテキストデータ化された業務カードへの記載情報をポスティング情報収集サーバに収集するステップ，の少なくとも何れか一つを含むステップからなることを特徴とするポスティング情報収集方法。
【請求項４】
請求項３に記載のポスティング情報収集方法において、
携帯通信端末を介してデジタルペンシステム管理サーバに送信された業務カードへの記載情報には、デジタルペン，携帯通信端末の何れかによって生成された時刻情報が貼付されたことを特徴とするポスティング情報収集方法。
【発明の詳細な説明】
【技術分野】
【０００１】
本発明は、デジタルペンとデジタルペン専用用紙を使用したポスティング情報収集システム及びポスティング情報収集方法に関する。
【背景技術】
【０００２】
従来、商店などではチラシやＤＭ（Ｄｉｒｅｃｔ  Ｍａｉｌ）などを効率的に配布するために、多くの場合、専門のポスティング（販売促進物を含む印刷物などの投函）業者に依頼して配布していた。
また、ポスティング業者は、独自に蓄積したノウハウに基づいて、チラシやＤＭの配布対象を定め、対象となった相手にポスティングを行っていた。
一方、商品を宅配する際に、チラシやＤＭの配布を一緒に行う場合もあるが、この場合は、商品と一緒に配布するために前述のポスティング業者が配布するように十分な量を配布することができないという課題があった。
また、チラシ、ＤＭ等のポスティング業務の報告は自己申告によるため、ポスティングの実態を把握することが困難であった。
【０００３】
このような課題を解決するために、宅配サービスと販売促進物のポスティングとを同時に行うことで効率化を図り、双方にかかる費用を一体的に低減しようとするポスティング支援システムが提供されている（例えば、特許文献１参照）。
特許文献１に記載の内容によれば、商品を宅配する業者側に備えられたセンタ装置と、宅配担当者が所持する端末装置とを含むポスティング支援システムであって、前記センタ装置が、顧客識別子と、それに関連づけられた、各顧客からの受注情報とを管理するデータベースと、前記データベースの受注情報を参照して宅配先の情報を抽出するとともに、顧客情報を参照して、顧客識別子を含んだポスティング先の情報を生成し、前記宅配先の情報を示した地図画像上に、当該ポスティング先の情報をシンボルとして記録して宅配地図情報を生成し、当該宅配地図情報を媒体に固定する手段と、を含み、前記端末装置は、宅配担当者の指示に応じて、前記宅配地図情報上のシンボルを選択的に読み取る手段と、前記シンボルを認識して、少なくとも顧客識別子を抽出する手段と、を含み、前記端末装置で抽出された顧客識別子が、センタ装置側での所定のポスティング支援の処理に供されるというものである。
【０００４】
【特許文献１】特開２００４−１９３２号公報
【発明の開示】
【発明が解決しようとする課題】
【０００５】
本発明のポスティング情報収集システム及び収集方法は、デジタルペンとデジタルペン専用用紙を使用して効率的にポスティングを行うポスティング情報の収集システム及び収集方法を提供しようとするものである。
【課題を解決するための手段】
【０００６】
前記課題の目的を達成するために、本発明のポスティング情報収集システムの第一の発明は、デジタルペンとデジタルペンで読取可能なドットパターンが印刷されたデジタルペン専用用紙を使用してポスティング情報を収集するポスティング情報収集システムであって、  前記ドットパターン印刷領域内に位置情報が印刷された地図と、前記ドットパターン印刷領域内にポスティング情報記載欄が設けられた業務カードと、少なくとも、前記地図と業務カードからドットパターンによる位置情報とポスティング情報とを光学的に取得するデジタルペンと、デジタルペンに接続され、デジタルペンが取得した前記位置情報とポスティング情報とをネットを介して送信し、ネットを介して受信した位置情報に関連付けされた配布物情報を表示部に表示する携帯通信端末と、ネットに接続され、前記携帯通信端末から受信したドットパターンによる位置情報とポスティング情報とをテキスト情報に変換するデジタルペンシステム管理サーバと、ネットに接続され前記位置情報を地図情報に変換するＧＰＳサーバと、少なくとも、配布物情報の配信，ポスティング情報の収集を行うポスティング情報収集サーバと、を備えたことを特徴とするものである。
【０００７】
また、第二の発明は、第一の発明において、業務カードに設けられたポスティング情報記載欄は、配布チェック欄，調査チェック欄，属性情報記載欄，送信ボックスの少なくとも一つを含むポスティング情報記載欄であることを特徴とするものである。
【０００８】
また、第三の発明は、第一，第二何れかの発明のポスティング情報収集システムを使用したポスティング情報収集方法であって、携帯通信端末に配布物配布リストを表示させるために、地図情報と配布物とを対応付けしてポスティング情報収集サーバに登録するステップ，デジタルペンと携帯通信端末と地図と業務カードと配布物を準備するステップ，  デジタルペンが地図から位置情報を取得するステップ，デジタルペンが取得した位置情報を携帯通信端末を介してデジタルペンシステム管理サーバに送信するステップ，デジタルペンシステム管理サーバから携帯通信端末を経由してポスティング情報収集サーバにテキストデータ化された位置情報を送信するステップ，ポスティング情報収集サーバから位置情報をＧＰＳサーバに送信し地図情報に変換するステップ，ポスティング情報収集サーバから地図情報に関連付けされた配布物情報を携帯通信端末に送信するステップ，携帯通信端末の表示部にポスティング情報収集サーバから送信された配布物情報を表示するステップ，前記表示部に表示された配布物情報を参照して配布物を配布し、業務カードの配布チェック欄にマークを記載するステップ，デジタルペンによって調査欄にマークを記載し、属性情報記載欄にマークや補足情報を記載するステップ，携帯通信端末を介して業部カードへの記載情報をネット上のデジタルペンシステム管理サーバに送信するステップ，デジタルペンシステム管理サーバから送信されたテキストデータ化された業務カードへの記載情報をポスティング情報収集サーバに収集するステップ，の少なくとも何れか一つを含むステップからなることを特徴とするものである。
【０００９】
また、第四の発明は、第三の発明において、携帯通信端末を介してデジタルペンシステム管理サーバに送信された業務カードへの記載情報には、デジタルペン，携帯通信端末の何れかによって生成された時刻情報が貼付されたことを特徴とするものである。
【発明の効果】
【００１０】
１）  第一の発明のように、デジタルペンとデジタルペンで読取可能なドットパターンが印刷されたデジタルペン専用用紙を使用してポスティング情報を収集するポスティング情報収集システムであって、前記ドットパターン印刷領域内に位置情報が印刷された地図と、前記ドットパターン印刷領域内にポスティング情報記載欄が設けられた業務カードと、少なくとも、前記地図と業務カードからドットパターンによる位置情報とポスティング情報とを光学的に取得するデジタルペンと、デジタルペンに接続され、デジタルペンが取得した前記位置情報とポスティング情報とをネットを介して送信し、ネットを介して受信した位置情報に関連付けされた配布物情報を表示部に表示する携帯通信端末と、ネットに接続され、前記携帯通信端末から受信したドットパターンによる位置情報とポスティング情報とをテキスト情報に変換するデジタルペンシステム管理サーバと、ネットに接続され前記位置情報を地図情報に変換するＧＰＳサーバと、少なくとも、配布物情報の配信，ポスティング情報の収集を行うポスティング情報収集サーバとを備えたポスティング情報収集システムを使用することによって、携帯電話のＧＰＳ機能を活用して正確にチラシやＤＭを配付することができ、また、業務カードにアップデートされた住民情報が入力できるため、その後のチラシやＤＭの配付内容に有効に反映させることができる。
また、調査内容をポスティング情報収集サーバによってリアルタイムに回収することができるため、調査した結果を即座に利用可能な状態とすることができる。
２）  また、第二の発明のように、第一の発明において、業務カードに設けられたポスティング情報記載欄は、配布チェック欄，調査チェック欄，属性情報記載欄，送信ボックスの少なくとも一つを含むポスティング情報記載欄であることによって、項目にチェックマークを記載するだけで的確に配布先情報を収集することができる。
３）  また、第四の発明のように、第三の発明において携帯通信端末を介してデジタルペンシステム管理サーバに送信された業務カードへの記載情報には、デジタルペン，携帯通信端末の何れかによって生成された時刻情報が貼付されたことによって、収集された調査内容が何時収集されたものであるか把握でき、調査効率改善のためのデータとして活用することができる。
【発明を実施するための最良の形態】
【００１１】
以下、図面を参照して本発明のポスティング情報収集システム及び収集方法について説明する。
図１は、本発明のポスティング情報収集システムを構築するための装置構成及び媒体の一例について説明するための図，図２は、携帯通信端末の表示部に表示された住所と配布リストの一例について説明するための図，図３は、業務カードの一例について説明するための図，図４は、ポスティングに使用される地図の一例について説明するための図，図５は、本発明のポスティング情報収集システムの、準備作業手順の一例について説明するための図，図６及び図７は、ポスティング情報収集手順の一例について説明するための図である。
図８は、デジタルペンの一例について説明するためのブロック図，図９は、デジタルペン専用用紙について説明するための図，である。
以下の説明では、デジタルペンはスウェーデン国の「Ａｎｏｔｏ社」で開発されたアノトペンの例で、ドットパターンが印刷された業務カードは、アノトペン専用ドットパターンが印刷されたデジタルペン専用用紙の例で説明する。
【００１２】
図１を参照して、本発明のポスティング情報収集システムを構築するための装置構成及び媒体の一例について説明する。
本発明のポスティング情報収集システムは、ドットパターン印刷領域内に位置情報が印刷された地図７と、前記ドットパターン印刷領域内にポスティング情報記載欄が設けられた業務カード６と、少なくとも、前記地図７と業務カード６からドットパターンによる位置情報とポスティング情報とを光学的に取得するデジタルペン１と、デジタルペンに接続され、デジタルペンが取得した前記位置情報とポスティング情報とをネットを介して送信し、ネットを介して受信した位置情報に関連付けされた配布物情報を表示部に表示する携帯通信端末２と、ネットに接続され、前記携帯通信端末から受信したドットパターンによる位置情報とポスティング情報とをテキスト情報に変換するデジタルペンシステム管理サーバ３と、ネットに接続され前記位置情報を地図情報に変換するＧＰＳサーバ５と、少なくとも、配布物情報の配信，ポスティング情報の収集を行うポスティング情報収集サーバ４とによって構築される。
【００１３】
先ず、図８を参照して、デジタルペンについて説明する。
デジタルペン１は、インクカートリッジ１０８を伴った筆記部１０６，ドットパターンを読み取るデジタルカメラによる撮像部１０５，デジタルカメラで読み取られた筆記情報（ドットパターンの座標情報）を記憶する記憶部１０３，携帯通信端末にストロークの座標情報を送信する通信部１０２，これらの機能を制御する制御部１０４，デジタルペン用の圧力センサ１０７，図示しないが電源部，で構成され、これらをデジタルペン１の筐体１０１の内部に搭載している。
デジタルペン１は、デジタルペン専用用紙に印刷されたドットパターン情報を撮像部１０５で読み取って記憶部１０３で記憶し、図示しないが、デジタルペンのユニークな識別情報などと共に通信部１０２から携帯通信端末２に送信する。
通信部１０２は、ＵＳＢ（Ｕｎｉｖｅｒｓａｌ  Ｓｅｒｉａｌ  Ｂｕｓ）対応、または、Ｂｌｕｅｔｏｏｔｈ対応となっている。
また、デジタルペン１の筐体１０１に組み込まれた筆記部１０６は、単なる筆記具として使用することもできるようになっている。
【００１４】
筆記部１０６は、筆記情報を可視状態で記載部に残す役割の他に、デジタルカメラによる撮像部１０５と、ドットパターン印刷面との距離を一定にする役割を担っている。
筆記部１０６がデジタルペン筐体１０１に装着されたときに、インクカートリッジ１０８側の先端が、デジタルペン筐体１０１に取り付けられたデジタルペン用の圧力センサ１０７に接触するようになっている。
この圧力センサ１０７は、情報の記載が開始されることを制御部１０４に伝える役割と、筆圧の強弱を読み分ける役割を備えている。
そのために、本発明では利用しないが、署名の際に筆圧による特徴を把握し、署名している者が、例えば、登録されている者か否かを判定する利用分野にも対応できるようになっている。
インクカートリッジ１０８の残量を確認する場合、または、充填する場合は、例えば、筆記部１０６をデジタルペン筐体１０１の先端から引き抜いてインクの残量確認、または、インクの補充を行う。
【００１５】
図９を参照して、業務カードや地図に印刷されたデジタルペン専用ドットパターンについて説明する。
業務カードや地図は、図に示すようなデジタルペン専用ドットパターンが紙面全面に印刷された上から業務カードデザインや、地図情報が印刷されたものである。
図に示す縦横の仮想線は、説明し易くするために便宜上記載しており、実際には印刷されていない。
デジタルペン専用ドットパターンの各ドットは、０．３ｍｍ間隔で形成された直角に交わる縦横の仮想線の交点近傍に、それぞれ異なる４方向の何れかに配置され、（デジタルペンの撮像部で認識可能な）有色のインキで印刷されている。
前述のＡｎｏｔｏ社のシステムでは、３６個のドット（約４ｍｍ2の内側に印刷されたドット群）を１単位情報として扱っている。
【００１６】
デジタルペンで、業務カードのチェック欄にチェックを記載したり、文字等を記載すると、ペン先がどの位置をなぞっているか、その近傍に印刷されたドットパターンの座標情報をデジタルペンに内蔵された撮像部で読み取って、ペン先が移動した単位情報の軌跡をデジタルペンの記憶部に記憶するようになっている。
また、地図上の所定部をデジタルペンでマークするとその部分の番地がドットパターン情報で読み取られる。したがって、地図情報はデジタルペン専用ドットパターン読み取りを妨げない印刷インキによって印刷される。
また、一つのアプリケーションには、同一のドットパターンが存在しないように管理される。
【００１７】
デジタルペンシステム管理サーバについて説明する。
デジタルペンシステム管理サーバ３は、図示しないが、多くの場合、ＰＬＳサーバと、ＡＳＨサーバに分けられて使用される。
携帯通信端末２から送信されたストロークの座標情報は、まず、ＰＬＳ（Ｐａｐｅｒ  Ｌｏｏｋ−ｕｐ  Ｓｅｒｖｉｃｅ）と呼ばれるデジタルペンシステム管理サーバに送信される。
ＰＬＳサーバは、受信したドットパターンのストロークの座標情報から、使用されているアプリケーションを割り出して、そのアプリケーション支援を行うＡＳＨ（Ａｐｐｌｉｃａｔｉｏｎ  Ｓｅｒｖｉｃｅ  Ｈａｎｄｌｅｒ）サーバのＵＲＬ（Ｕｎｉｆｏｒｍ  Ｒｅｓｏｕｒｃｅ  Ｌｏｃａｔｏｒ）とストロークの座標情報を携帯通信端末２に送信する。
【００１８】
携帯通信端末について説明する。
携帯通信端末２は、例えば、キーボードなどの入力手段，インターネットに接続されて入力情報を送受信する送受信手段，ディスプレイなどの表示手段，入力情報や読み込んだ情報を保存する保存手段とを有する携帯電話機（以下、携帯電話という），ＰＤＡ（Ｐｅｒｓｏｎａｌ  Ｄｉｇｉｔａｌ  Ａｓｓｉｓｔａｎｃｅ），パームトップ型パーソナルコンピュータのような装置である。
携帯通信端末２は、デジタルペン１から送信されたドットパターン情報をＵＳＢや、Ｂｌｕｅｔｏｏｔｈ対応のインターフェイスで受信し、ＰＬＳサーバに送信する。
ＰＬＳサーバは、受信したドットパターンによって適切なＡＳＨサーバを割り出し、ＡＳＨサーバのＵＲＬを携帯通信端末２に返信する。
携帯通信端末２は、ドットパターンによる座標データをＡＳＨサーバのＵＲＬに送信する。
ＡＳＨサーバは、携帯通信端末２から受信した調査内容をアプリケーションプログラムによって編集し、テキストデータなどに変換して携帯通信端末２、または、指定された情報収集端末等に送信する。
また、携帯通信端末２は、ネット上でＧＰＳサーバ６に接続されており、デジタルペン１によってマークされた地図７の位置情報を住所情報に変換して携帯通信端末２の表示部に表示させる。
【００１９】
ポスティング情報収集サーバについて説明する。
ポスティング情報収集サーバ４は、携帯通信端末２、または、デジタルペンシステム管理サーバ３（ＡＳＨサーバ）から受信したポスティング情報及び地図情報（以下で説明する本実施形態では携帯通信端末２から送信されるものとして説明する）を受信し、受信したポスティング情報及び地図情報を所定のファイルに格納する。
ポスティング情報格納の際に、必要であればポスティング情報にデジタルペン、または、携帯通信端末によって生成され、貼付された時刻情報を貼付して格納する。
ポスティング情報収集サーバは、収集された業務カード記載情報を元に次の配布リストやＤＭ情報を作成する。
【００２０】
業務カード６，地図７については、図３，図４で説明する。
【００２１】
図２を参照して、携帯通信端末の表示部に表示された住所情報と配布リストの一例について説明する。
チラシやＤＭの配布担当員は、チラシやＤＭ，地図，業務カード，デジタルペン，携帯通信端末２（以下携帯電話という）を所持してチラシやＤＭの配布作業を開始する。
携帯電話をインターネットに接続し、デジタルペンで地図上のチラシやＤＭ配布予定位置にマークを記載する。
デジタルペンは、地図に印刷されたドットパターンを読み取り、携帯電話に無線または有線で地図上の位置情報を送信する。
携帯電話は、デジタルペンシステム管理サーバと交信してドットパターン情報をテキストデータに変換し、位置情報をポスティング情報収集サーバに送信する。
ポステングサーバは、ＧＰＳサーバの支援を受けて、位置情報を住所情報に変換し、住所情報ＤＢから住人のチラシやＤＭの配布情報を読み出し、携帯電話の表示部２１に配布リストを表示する。
チラシやＤＭの配布担当員は、携帯電話の表示部２１に表示されたチラシやＤＭの配布情報に基づいてチラシＡ，Ｂ及びＤＭを配布する。
【００２２】
図３を参照して、業務カードの一例について説明する。
業務カード５には、デジタルペン専用ドットパターンが少なくともチェックマーク記載欄などの必要箇所に印刷され、その上に複数の調査項目が印刷され、更にその近傍にチェックマーク記載欄が印刷されている。
図に示す業務カード５の例では、ポスティング情報記載欄５３の中に、携帯電話の表示部に表示されたとおりにチラシやＤＭを配布したか確認するための配布チェック欄５１，ポステング情報の調査内容を記載したことを明確にするための調査チェック欄５２，これら調査内容をデジタルペンから携帯電話を介して情報収集サーバに送信するためのチェックマークを記載するための送信ボックス５３１が印刷されている。
調査チェック欄５２にマークした場合は、属性情報記載欄５３２に「家族構成」情報、例えば、「単身」であるか、「既婚」であるか、をそれぞれのマーク記載欄にチェックマークで記載する。
また、子供がいる場合は、「小学生」であるか、「中学生」であるか、「高校生」であるかを推測し、また、その家が、車を所有している場合は、「国産車」であるか、「外国車」であるか、チェックしそれぞれのマーク記載欄にチェックマークを記載する。また、例えば、牛乳などが宅配されていれば、乳製品のチェック欄にチェックマークを記載する。
これらの調査内容を記載した後、送信のために、前述の送信ボックスにチェックマークを記載する。
業務カードへの記載情報は、配布担当員がどの家に何をポスティングしたかの証拠となり、更に調査結果は、データ更新の際の参考データとして使用される。送信される記載情報には時間情報を貼付することもできる。
【００２３】
図４を参照して、ポスティングに使用される地図の一例について説明する。
図４に示す地図７は、縮尺１：１０００程度の地図である。この地図は、宅配業者などの間で一般に使用されている地図で、拡大率がこのレベルの地図であれば、細い路地から一軒一軒の家のおおよその形状まで知ることができる。
地図全面にわたって印刷されているデジタルペン専用のドットパターンは、赤外線で認識されるインキで印刷され、地図情報は赤外線によってドロップアウトされるインキで印刷されている。
【００２４】
図５を参照して、本発明のポスティング情報収集システムの準備作業手順の一例について説明する。ここでは、地図情報と住所情報を関連付け、ポスティング情報を作成するための手順について説明する。
先ず、赤外線読み取り用のインキによってデジタルペン専用ドットパターンが全面に印刷され、その上から地図情報が印刷された地図が用意される。この地図には、町名，番地などの住所情報と、住人の苗字などが印刷されている。
最初の段階で、デジタルペン１によって地図上に示されている各配布先をデジタルペン１でマークする（Ｓ１：ステップ１）。この作業は、地図に印刷されている北の方向を上に位置させて行う。ポスティング担当員（配布担当員）にも、ポスティングの際には北の方向を上に位置させてマークすることを徹底させる。
デジタルペン１から通信端末２０にドットパターンによる位置情報が送信される。通信端末２０は、デジタルペンシステム管理サーバ３にドットパターンによる位置情報を送信する（Ｓ２）。
デジタルペンシステム管理サーバは、ドットパターンによる位置情報をテキストデータに変換して通信端末２０に送信する（Ｓ３）。
通信端末２０は、テキストデータに変換された位置情報をネットに接続されたポスティング情報収集サーバ４に送信する（Ｓ４）。
ポスティング情報収集サーバ４は、テキストデータに変換された位置情報を受信する（Ｓ５）。
ポスティング情報収集サーバ４は、ＧＰＳサーバ支援の下、位置情報を地図情報に変換する（Ｓ６）。更にポスティング情報収集サーバ４は、地図情報を参照して住所情報と住人情報を入力する（Ｓ７）。
Ｓ７で作成した住所情報，住人情報を参照してポスティング情報を作成し、ポスティング情報をＤＢに格納する（Ｓ８）。
Ｓ８が終了したら、Ｓ１に戻して、Ｓ８までの作業を繰り返す。
Ｓ５，Ｓ６，Ｓ７は通信端末２０で行ってもよい。
【００２５】
図６を参照して、ポスティング情報収集手順の一例について説明する。
図６は、デジタルペンによって地図上のポスティング地点をマークして携帯電話の表示部にポスティング情報を表示し、ポスティング作業を行う手順を示している。
先ず、デジタルペン１によって地図上に調査位置をマークし、位置情報を携帯電話２に送信する（Ｓ１１）。
携帯電話２は、ドットパターンによる位置情報をデジタルペンシステム管理サーバ３に送信する（Ｓ１２）。
デジタルペンシステム管理サーバ３は、ドットパターンによる位置情報を受信しテキスト情報に変換して携帯電話に位置情報を返信する（Ｓ１３）。
Ｓ１２では、最初に前述のＰＬＳサーバにドットパターンのストロークの座標情報を送信し、ＰＬＳサーバは、受信したドットパターンのストロークの座標情報から、使用されているアプリケーションを割り出して、そのアプリケーション支援を行うＡＳＨサーバのＵＲＬを携帯電話２に送信し、携帯電話２は、ＡＳＨサーバのＵＲＬに位置情報を送信するという作業が行われる。
携帯電話２は、テキストデータによる位置情報を受信し、ポスティング情報収集サーバ４に送信する（Ｓ１４）。
ポスティング情報収集サーバ４は、テキストデータに変換された位置情報を受信する（Ｓ１５）。
ポスティング情報収集サーバ４は、ＧＰＳサーバ支援の下、位置情報を地図情報に変換する（Ｓ１６）。
更に、地図情報に対応するポスティング情報をＤＢから読み出す（Ｓ１７）。
Ｓ１７で読み出したポスティング情報を携帯電話に送信する（Ｓ１８）。
携帯電話２は、表示部にポスティング情報を表示する（Ｓ１９）。
配布担当員は、表示されたポスティング情報に基づいて配布物を配布し、デジタルペン１で業務カードの配布欄にチェックマークを記載する（Ｓ２０）。
【００２６】
図７を参照して、ポスティング情報収集手順の一例について説明する。
図７は、デジタルペン１によって業務カードに調査内容を記載してゆく手順を示している。
先ず、デジタルペン１は、業務カードの調査欄にマークを記載する（Ｓ３１）。
次に、配布物を配布した家のアップデートされた属性情報を記載する（Ｓ３２）
業務カードの記載が終わったら記載内容を送信するために送信ボックスにチェックマークを記載する（Ｓ３３）。
業務カードに記載した情報を携帯電話２に送信する（Ｓ３４）。
携帯電話２は、業務カードに記載された情報（ポスティング情報）をデジタルペンシステム管理サーバ３に送信する（Ｓ３５）。
Ｓ３５では、前述のように最初にＰＬＳサーバにドットパターンのストロークの座標情報を送信し、ＰＬＳサーバは、受信したドットパターンのストロークの座標情報から、使用されているアプリケーションを割り出して、そのアプリケーション支援を行うＡＳＨサーバのＵＲＬを携帯電話に送信し、携帯電話は、ＡＳＨサーバのＵＲＬに位置情報を送信するという作業が行われる。
デジタルペンシステム管理サーバ３のＡＳＨサーバは、ポスティング情報をテキストデータ化する（Ｓ３６）。
テキストデータ化されたポスティング情報を携帯電話に送信する（Ｓ３７）。
携帯電話２は、ポスティング情報を受信し、ポスティング情報収集サーバ４に送信する（Ｓ３８）。
ポスティング情報収集サーバ４は、受信（収集）したポスティング情報をＤＢに格納する（Ｓ３９）。
Ｓ３９では、必要に応じてデジタルペン、または、携帯電話が貼付した時刻情報を一緒に格納する。
【産業上の利用可能性】
【００２７】
ポスティング情報収集システム及びその他の顧客情報収集全般に利用できる。
【図面の簡単な説明】
【００２８】
【図１】本発明のポスティング情報収集システムを構築するための装置構成及び媒体の一例について説明するための図である。
【図２】携帯通信端末の表示部に表示された住所と配布リストの一例について説明するための図である。
【図３】業務カードの一例について説明するための図である。
【図４】ポスティングに使用される地図の一例について説明するための図である。
【図５】本発明のポスティング情報収集システムの、準備作業手順の一例について説明するための図である。
【図６】ポスティング情報収集手順の一例について説明するための図である。
【図７】ポスティング情報収集手順の一例について説明するための図である。
【図８】デジタルペンの一例について説明するためのブロック図である。
【図９】デジタルペン専用用紙について説明するための図である。
【符号の説明】
【００２９】
１      デジタルペン
２      携帯通信端末
３      デジタルペンシステム管理サーバ
４      ポスティング情報収集サーバ
５      ＧＰＳサーバ
６      業務カード
７      地図
２０    通信端末
２１    表示部
５１    配布チェック欄
５２    調査チェック欄
５３    ポスティング情報記載欄
７１    ポスティング位置
１０１  筐体
１０２  通信部
１０３  記憶部
１０４  制御部
１０５  撮像部
１０６  筆記部
１０７  圧力センサ
１０８  インクカートリッジ
５３１  送信ボックス
５３２  属性情報記載欄
【図１】
2007193466.tif 000003
【図２】
2007193466.tif 000004
【図３】
2007193466.tif 000005
【図４】
2007193466.tif 000006
【図５】
2007193466.tif 000007
【図６】
2007193466.tif 000008
【図７】
2007193466.tif 000009
【図８】
2007193466.tif 000010
【図９】
2007193466.tif 000011